(57)【要約】      （修正有）【課題】従来タル浮きと呼ばれる生餌用の浮きはタルの中から生餌が放出されない事が時々あり、また生餌が放出されているのが確認する事ができなかったことを解決する浮きを提供する。【解決手段】開口部と閉鎖部を有する筒状の浮力体１を筒軸方向に２分割する構造であって、閉鎖部１０基端側を開閉可能に連結する、浮力片部材１ａの側面両側の保持部材３によって浮力片部材１ｂを弾力的に挟んで固定しキャスティングする時は筒状を保ち、着水時の衝撃または着水後の水や海水の入水によって浮力片部材１ｂを挟んでいた保持部材３がはずれ、筒軸方向に分割し連結部材を支点に開き、生餌を放出する構成とする。また、道糸を引いた時の内側の色を確認することで生餌が放出されたことが確認できる釣り用浮きとする。【選択図】図２
0003126727.tif 000002
【実用新案登録請求の範囲】
【請求項１】
先端側に開口部を有し基端側に閉鎖部を有する半筒状の浮力片部材を構成し、該浮力片部材を合体させて内空部を餌入れ部に現出する筒状の浮力体に形成せしめるに、前記浮力片部材同士の内側対面部を合わせて合体形成された浮力体が、筒軸方向に沿って開放分割出来るように浮力片部材の基端側を連結する連結部材と、該浮力片部材を筒状に合体保持する保持部材を備え、キャスティングするときは浮力体が筒状に形成され、着水時の衝撃または着水後の水や海水の入水によって、前記連結部材を支点に浮力体を開く構造とした釣り用浮き。                                                    
【請求項２】
前記浮力片部材において一方の浮力片部材の開口部付近に重りを配置するか、又は一方の浮力片部材の開口部付近および、両方の浮力片部材の閉鎖部付近に重りを配置した請求項1記載の釣り用浮き。                                  
【請求項３】
前記連結部材は、開閉可能な構造とした請求項１又は２に記載の釣り用浮き。                                                              
【請求項４】
前記連結部材は、蝶番、樹脂製板、樹脂シート、布地、タイヤチューブ、ゴム、などの揺動可能または折り曲げ可能な材質とした請求項１、２、又は３に記載の釣り用浮き。                          
【請求項５】
前記保持部材は、一方の浮力片部材の側面両側に配置し、他方の浮力片部材を弾力的に挟み込むように張り出した構造とした請求項１、２、３、又は４に記載の釣り用浮き。                                                                          
【請求項６】
前記保持部材は、弾力性を有するステンレス硬線、ステンレス板、または樹脂などで構成した請求項５に記載の釣り用浮き。                                                                                  
【請求項７】
前記保持部材は、一方の浮力片部材の内側対面部に、磁石を配置し、他方の浮力片部材の相対する位置に磁石又は磁性体を配置し磁着する構造とした請求項１、２、３、又は４に記載の釣り用浮き。
【請求項８】
前記一方の浮力片部材の開口部付近に配置された重りは、その浮力片部材の 基端側が水面上にあり、先端側の開口部は水中に沈んで略垂直状態に安定して浮くことができる程度の重さであり、浮力片部材の閉鎖部付近に配置する重りは、開口部付近に重りがない方の浮力片部材が水面に水平に浮くことができる程度の重さとしたことを特徴とした請求項２、３、４、５、６、又は７に記載の釣り用浮き。      
【請求項９】
浮力体の外側の色と浮力体の内側の色を異なる色に配色するか、または一方の浮力片部材 の外側の色と、他方の浮力片部材の外側の色と、浮力体の内側の色を異なる色に配色したことを特徴とした請求項１、２、３、４、５、６、７、又は８に記載の釣り用浮き。              
【請求項１０】
筒状の浮力体の開口部付近の外径または中央部付近の外径より、閉鎖部付近の外径を小さくした請求項１、２、３、４、５、６、７、８、又は９に記載の釣り用浮き。        
【考案の詳細な説明】
【技術分野】
【０００１】
本考案は釣り用浮きに関する。
【背景技術】
【０００２】
従来、図５に示すように、タル浮き１７と呼ばれる円筒状または紡錘状の樽のような形状をした浮力体１８に浮力体の底部２１と浮力体の開口部２０を重り１９がスライド可能にステンレス硬線２２が取り付けてあり、生餌をタル浮き１７の内部に入れ、離れたポイントにキャスティングすると、浮力体の底部２１側にある重り１９が着水後浮力体の開口部２０方向に移動し開口部側が下を向き生餌が外に放出され、その生餌で魚を釣るようにしていた。また、図６に示すように特許文献１の技術は浮きとコマセカゴが連結された浮きで、着水時浮き２９とコマセカゴ２６が分離しコマセカゴ２６が 開き、内部に収容されたコマセが放出されるものがあった。
【特許文献１】特開昭６２−４０２３５号公報。
【考案の開示】
【考案が解決しようとする課題】
【０００３】
しかしながら、上記に示されるようなタル浮き１７では生餌が浮力体１８内部で引っかかり放出されないことが時々あり、また生餌が放出されたかどうか確認できず、生餌が入ったまま回収することがあった。                                       
また、上記特許文献１に示されるような技術によれば、浮き２９とコマセカゴ２６が分離する構造のため、構造が複雑になり、コマセカゴ２６を浮き２９とは別に浮きと別ライン２７を使って回収しなければならなかった。                                        
そこでこの考案は、生餌などの餌を放出することができる釣り用浮きを提供し、また放出したことを確認でき、引き上げ時特別な操作を必要としない釣り用浮きを提供することを課題とする。
【課題を解決するための手段】
【０００４】
以上の課題を解決するために第一の考案は、先端側に開口部を有し基端側に閉鎖部を有する半筒状の浮力片部材を構成し、該浮力片部材を合体させて内空部を餌入れ部に現出する筒状の浮力体に形成せしめるに、前記浮力片部材同士の内側対面部を合わせて合体形成された浮力体が、筒軸方向に沿って開放分割出来るように浮力片部材の基端側を連結する連結部材と、該浮力片部材を筒状に合体保持する保持部材を備え、キャスティングする時は浮力体が筒状に形成され、着水時の衝撃または着水後の水や海水の入水によって、前記連結部材を支点に浮力体が開く構造とする。                                          
【０００５】
第二の考案は、第一の考案において、一方の浮力片部材の開口部付近に重りを配置するか、又は一方の浮力片部材の開口部付近および両方の浮力片部材の閉鎖部付近に重りを配置する。                                              
【０００６】
第三の考案は、第一又は第二考案において前記連結部材を、開閉可能な構造とする。                                                               
【０００７】
第四の考案は、第一、第二又は第三の考案において、前記連結部材を、蝶番、樹脂製板、樹脂シート、布地、タイヤチューブ、ゴム、などの揺動可能または折り曲げ可能な材質とする。                                                                       
【０００８】
第五の考案は、第一、第二、第三又は第四の考案において、前記保持部材は、一方の浮力片部材の側面両側に配置し、他方の浮力片部材を弾力的に挟み込むように張り出した構造とする。
【０００９】
。
第六の考案は、第五の考案において、前記保持部材は、弾力性を有するステンレス硬線、ステンレス板、又は樹脂などで構成する。
【００１０】
第七の考案は、第二、第三、又は第四の考案において前記保持部材は、一方の浮力片部材の内側対面部に、磁石を配置し、他方の浮力片部材の相対する位置には磁石又は磁性体を配置し磁着する構造とする。
【００１１】
第八の考案は、第二、第三、第四、第五、第六又は第七の考案において、一方の浮力片部材の開口部付近に配置された重りは、その浮力片部材の基端側が水面上にあり、先端側の開口部は水中に沈んで略垂直状態に安定して浮くことができる程度の重さであり、浮力片部材の閉鎖部付近に配置する重りは、開口部付近に重りがない方の浮力片部材が水面に水平に浮くことができる程度の重さとする。      
【００１２】
第九の考案は、第一、第二、第三、第四、第五、第六, 第七又は第八の考案において、浮力体の外側の色と浮力体の内側の色を異なる色に配色するか、又は一方の浮力片部材の外側の色と、他方の浮力片部材の外側の色と、浮力体の内側の色を異なる色に配色する。              
【００１３】
第十の考案は、第一、第二、第三、第四、第五、第六、 第七、第八又は第九の考案において、筒状の浮力体の開口部付近の外径又は中央部付近の外径より、閉鎖部付近の外径を小さくした構造とすることにより課題を解決することができる。    
【考案の効果】
【００１４】
従って、この考案の釣り用浮きは、着水時の衝撃か、または着水後道糸を強く引っ張った時の入水による水流の水圧で保持部材が外れ筒状の浮力体が連結部材を支点に筒軸方向に開くことにより、浮力体の生餌を放出できる。またキャスティング時は浮力体の外周すなわち外側の色のみを確認しているが、着水後浮力体が開いていれば道糸を引くことにより浮きが反転し浮力体の内空部側すなわち内側の異なる色を確認することで、浮力体が開いたことを確認でき、よって浮力体の中に入っていた生餌が放出されたことを確認できる。内側の異なる色を確認できなければ、再度道糸を強く引っ張り浮力体を強制的に開く事ができる。さらに、両方の浮力片部材の閉鎖部付近に配置された重りや、基端側の連結部材の重さや閉鎖部の大きさ等諸事の条件によってまっすぐ飛ばすことができ、片方の浮力片部材の開口部付近に配置した重りにより、片方の浮力片部材が水面に対してほぼ垂直な状態で水中に倒立し、もう一方の浮力片部材は水面に対して水平に浮き、連結部材を支点に開いた状態で、浮きとして安定して浮遊することができ、引き上げるときも釣り糸をリールで巻きあげることでそのまま回収できる。       
【考案を実施するための最良の形態】
【００１５】
以下、この考案の実施の形態について、図面を用いて説明する。
【００１６】
図１、図２、図３及び図４において、本考案の実施例を説明する。図１は生餌を入れるときの浮きの状態を示しており、先端側に開口部９を有し基端側に閉鎖部１０を有する半筒状の浮力片部材１a、１bの内側対面部１１を合体させて、互いの内空部１２を餌入れ部とするため筒状の浮力体１に形成している。筒状の浮力体１は、筒軸方向に沿って開放分割出来るように、浮力片部材１a、１bの基端側を連結する連結部材５と、浮力片部材１a、１bを筒状に合体保持する保持部材３を備えている、そして浮力片部材１aの先端側の開口部９付近のほぼ中央にサルカンと連結する金具４と閉鎖部１０付近位置の凸面側すなわち外側ほぼ中央にパイプテンビンを通す金具１３を取り付けて、パイプテンビン２を取り付けるようにしている。図１に示した筒状の浮力体１は円筒状であるが、餌を入れることの出来る筒状であれば、断面形状を楕円、多角形、その他の異形の形にすることも可能である。さらに、浮力片部材の中空部の開口部９付近を盛り上げ、餌を出にくくするように構成しても良い。
【００１７】
浮力体１の材質は浮力体の形状にした時、浮力を有する材質であれば何でも良く、限定するものではない。例えば木材、または発泡体やプラスチック等の樹脂を切削して作ることも出来るが、発泡体やプラスチック等の樹脂は成形して作ることも可能である。
【００１８】
連結部材５は開閉可能な構造とし、蝶番や樹脂製板、樹脂シート、布地、タイヤチューブ、ゴムなど揺動可能又は折り曲げ可能な材質のものを用いる。連結部材を浮力体１aの基端側と浮力体１ｂの基端側にねじや釘、または接着剤などで取り付ける。蝶番、樹脂製板、樹脂シート、布地などはバネで付勢したり、タイヤチューブやゴムは張った状態で取り付けて、さらに開きやすく、開いた状態を安定させるようにすることもできる。
【００１９】
保持部材３は一方の浮力片部材１aの側面両側に取り付け、他方の浮力片部材１bを弾性的に挟み込むように張り出した構造にしている。保持部材３は弾性を有するステンレス硬線をコの字に曲げたものを取り付け、他方の浮力片部材１bを弾性的に挟み込むようにしたり、弾性を有するステンレス板や樹脂板を取り付け、他方の浮力片部材１bを弾性的に挟み込むようにしても良い。保持部材３は先端部分を外側に曲げると、浮力片部材１bを挟み込み易くなる。また保持部材３は浮力片部材１ｂに取り付け浮力片部材１aを弾性的に挟み込むようにしても良い。図１においては保持部材３の位置は開口部９側よりに取り付けているが、生餌を入れキャスティングする時に筒状を保持できる位置であればどの位置でも良い。
【００２０】
浮力片部材１bの開口部９付近には水面に対してほぼ垂直に浮力片部材１bを倒立させるための重り８を取り付けている。そして浮きを安定して飛ばすために、浮力片部材１bの開口部９付近に取り付けた重り８とほぼ同じぐらいの、重り６、重り７を浮力片部材１a、浮力片部材１bの閉鎖部１０付近に取り付けている。穴を開け、重りを流し込んだり埋め込んだりするが、外付けしてもかまわない、また浮力片部材１a、浮力片部材１bの閉鎖部１０付近に取り付けている重り６、重り７は浮力体１が浮力体１aと浮力体１ｂの基端側の連結部材の重さや閉鎖部１０の大きさ等諸事の条件によって浮力体１が安定して遠くへ飛ばすことが出来れば重りを入れなくても良い。浮力体１の外径を開口部９から基端側までほぼ同じとしても良いが、開口部９または中央部付近から徐々に、閉鎖部１０基端側まで小さく構成することにより空気抵抗を小さくする事が出来る。
【００２１】
図２は着水後、浮力体１が開いて安定して浮いている状態である。サルカンと繋ぐ金具４が取り付けてある浮力片部材１aが水面に対して水平に浮いており、道糸１４を通したパイプテンビン２が開口部９付近のほぼ中央に取り付けたサルカンと繋ぐ金具４と連結し、閉鎖部１０付近外側のほぼ中央に取り付けたパイプテンビンを通す金具１３にパイプテンビン２を通し道糸が浮力片部材１aの基端側へ出ている。他方の浮力片部材１bは開口部９付近に取り付けた重り８によって水面に対してほぼ垂直に浮力片部材１bが倒立する、浮きとして浮力体１が連結部材５を支点に安定して開いて浮く。
【００２２】
図３は道糸１４を引いた状態で、浮力片部材１aおよび浮力片部材１bが連結部材５を支点に、水面上に浮力片部材１a、１bの凸面すなわち外側を下にして内空部を上向きに開き、浮力体の内側の色が確認できる状態を示している。
【００２３】
図４は、保持部材として浮力片部材１aの内側対面部に、磁石１５を配置し他方の浮力片部材１bの相対する内側対面部には磁性体１６を配置したものを示しているが、浮力片部材１bの相対する内側対面部には磁石１５と同一なものを磁着するように配置しても良い。保持部材が図４においては磁石１５又は磁性体１６を開口部付近に図示しているが、生餌を入れキャスティングする時に筒状を保持できる位置であればどこでも良い。
【００２４】
次にこの考案に従った動作の構成および作用の概要について、図１、図２、図３及び図４を用いて説明する。
【００２５】
図１のように、先端側に開口部９を有し基端側に閉鎖部１０を有する半筒状の浮力片部材１a、１bの内側対面部１１を合体させて、お互いの内空部１２を餌入れ部とするため筒状の浮力体１にする。筒状の浮力体１は、筒軸方向に沿って開放分割出来るように、浮力片部材１aと浮力片部材１bの基端側を連結する連結部材５と浮力片部材１aと浮力片部材１bを筒状に合体保持する保持部材３を備えている。図中には示していないが、まず釣竿に道糸１４を取り付け、パイプテンビン２に道糸１４を通し、道糸１４の先にハリスを繋ぐサルカンを取り付ける。パイプテンビン２に付けられたサルカンを浮力片部材１aの先端側の開口部９付近のほぼ中央に取り付けられたサルカンと連結する金具４に連結し、パイプテンビン２のハリス側を、浮力片部材１aの閉鎖部１０付近位置の凸面側すなわち外側のほぼ中央に取り付けたパイプテンビンを通す金具１３に通した後、道糸１４の先に取り付けたサルカンにハリスを繋ぎ、ハリスの先に釣り針をつけ生餌に釣り針をかける。浮力体１を筒状に保ったまま開口部９から内空部１２に釣り針をかけた生餌を頭からいれる。準備が整い釣竿を振りキャスティングすると浮力片部材１a、および浮力片部材１bの基端側の閉鎖部１０付近に取り付けた重り６重り７の重量で浮力体１が安定して遠くへ飛ぶ。また、筒状の浮力体１の外径を開口部９付近または中央部付近より基端側に向けて徐々に小さく構成することにより、空気抵抗を小さくして、より遠くへ飛ばすことが可能となる。
【００２６】
キャスティング後、図２のように浮きが着水時の衝撃や着水後の自然の入水による水流の圧力または強制的に道糸を引っ張ることによって生じる水流の圧力によって、浮力片部材１bを弾力的に挟み込んで筒状を保っていた保持部材３がはずれ、連結部材５を支点に浮力体１が開き生餌が放出される。パイプテンビン２が取り付けてある浮力片部材１aは水面に対して水平に浮き、他方の浮力片部材１bの開口部付近に取り付けた重り８によって水面に対してほぼ垂直に浮力片部材１bが倒立し、浮きとして浮力体１が連結部材５を支点に安定して開いて浮く。
【００２７】
連結部材５は蝶番、樹脂製板、樹脂製シート、布地、タイヤチューブやゴムなどを用い開閉可能な構造となっている。蝶番、樹脂製板、樹脂製シート、布地をバネで付勢したり、タイヤチューブやゴムを張った状態で取り付けると、さらに浮きが着水時の衝撃や着水後の自然の入水による水流の圧力または強制的に道糸を引っ張ることによって生じる水流の圧力によって開きやすくなり、浮力片部材１aが水面に対して水平に浮き、他方の浮力片部材１b の開口部付近に取り付けた重り８によって水面に対してほぼ垂直に浮力片部材１bが倒立し開いた状態をさらに安定させることが可能になる。
【００２８】
浮力片部材１a先端側の開口部９付近のほぼ中央に取り付けたサルカンと繋ぐ金具４にパイプテンビン２のサルカンを連結しパイプテンビンを通す金具１３にパイプテンビン２を通すことにより図２のように、浮力体１とパイプテンビンが一体に作用し、そして道糸が浮力体１より離れた位置から出るため、道糸やハリスが浮力体１に絡むトラブルを防止することができる。              
【００２９】
図３は道糸を引いたとき、浮力片部材１ｂの開口部付近に取り付けた重り８の作用で、浮きが反転し、浮力片部材１a浮力片部材１bの外側凸部が水面に接した図であって浮力体１の内側の色が見え、浮きが開いた事が確認でき、生餌が放出された事がわかる。また、魚を釣り上げるときや浮きを回収するときも浮力体１の凸部が水面に接しているので水の抵抗が少なく浮きの回収がたやすいし別途操作を必要としない。
【００３０】
図４は、保持部材として浮力片部材１aの内側対面部に、磁石１５を配置し他方の浮力片部材１bの相対する内側対面部には磁性体１６を配置したものを示しているが、浮力片部材１bの相対する内側対面部には磁石１５と同一なものを磁着するように配置しても良い。保持部材が図４においては磁石１５又は磁性体１６を開口部付近に図示しているが、生餌を入れキャスティングする時に筒状を保持できる位置であればどこでも良い   
【００３１】
即ち、この考案は、浮きが筒軸方向に開く事を特徴とするものである。
【００３２】
この実施形態によれば図２、図３及び図４で示すように、生餌が浮きから放出でき、 
放出されたことが確認できるので、大物を釣るチャンスを逃がさず釣りができる。   
【産業上の利用可能性】
【００３３】
この考案は浮きを筒軸方向に開くことを特徴としているものであり、生餌に限らずコマセ用としても使用可能である。
【００３４】
浮力片部材１aの保持部材３によって浮力片部材１bを強く止めると着水時の衝撃で浮力体１の 筒軸方向に開かず、図１のように横向きに浮いているので浮きの中に入れた付餌とコマセが放出されない、そのまま潮に乗せポイントまで流し、そこで釣り竿をたて道糸を強く引くと浮力体１の開口部９から海水がはいり、浮力体１の開口部９が開き付餌とコマセが放出できコマセ用としても利用できる。  
【図面の簡単な説明】
【００３５】
【図１】この考案の実施形態を示す全体斜視図である。
【図２】浮力体が開いて浮いている状態の作用説明図である。
【図３】道糸を引いた状態の作用説明図である。
【図４】他の実施例において道糸を引いた状態の作用説明図である。
【図５】従来のタル浮きの側面図である。
【図６】従来技術を示す斜視図である
【符号の説明】
【００３６】
１浮力体
１a、１b浮力片部材
２パイプテンビン
３保持部材  
４サルカンと繋ぐ金具
５連結部材
６重り
７重り
８重り
９浮力片部材の開口部
１０浮力片部材の閉鎖部
１１浮力片部材の内側対面部
１２浮力片部材の内空部
１３パイプテンビンを通す金具
１４道糸
１５磁石
１６磁性体
１７タル浮き                                                                
１８浮力体
１９重り  
２０浮力体の開口部
２１浮力体の底部                                                                ２２ステンレス硬線  
２３止金具
２４釣針
２５開口バネ
２６コマセカゴ
２７浮きと別ライン
２８重り
２９浮き
【図１】
0003126727.tif 000003
【図２】
0003126727.tif 000004
【図３】
0003126727.tif 000005
【図４】
0003126727.tif 000006
【図５】
0003126727.tif 000007
【図６】
0003126727.tif 000008
【手続補正書】
【提出日】平成18年9月6日(2006.9.6)
【手続補正１】
【補正対象書類名】実用新案登録請求の範囲
【補正対象項目名】全文
【補正方法】変更
【補正の内容】
【実用新案登録請求の範囲】
【請求項１】
先端側に開口部を有し基端側に閉鎖部を有する半筒状の浮力片部材を構成し、該浮力片部材を合体させて内空部を餌入れ部に現出する筒状の浮力体に形成せしめるに、前記浮力片部材同士の内側対面部を合わせて合体形成された浮力体が、筒軸方向に沿って開放分割出来るように浮力片部材の基端側を連結する連結部材と、該浮力片部材を筒状に合体保持する保持部材を備え、キャスティングするときは浮力体が筒状に形成され、着水時の衝撃または着水後の水や海水の入水によって、前記連結部材を支点に浮力体を開く構造とした釣り用浮き。
【請求項２】
前記浮力片部材において一方の浮力片部材の開口部付近に重りを配置するか、又は一方の浮力片部材の開口部付近および、両方の浮力片部材の閉鎖部付近に重りを配置した請求項１記載の釣り用浮き。
【請求項３】
一方の浮力片部材の開口部付近および、両方の浮力片部材の閉鎖部付近に重りを配置したものである場合、前記一方の浮力片部材の開口部付近に配置された重りは、その浮力片部材の基端側が水面上にあり、先端側の開口部は水中に沈んで略垂直状態に安定して浮くことができる程度の重さであり、浮力片部材の閉鎖部付近に配置する重りは、開口部付近に重りがない他方の浮力片部材が水面に浮くことができる程度の重さとしたことを特徴とした請求項２に記載の釣り用浮き。
【請求項４】
前記連結部材は、開閉可能な構造とした請求項１ないし請求項３のいずれか一つに記載の釣り用浮き。
【請求項５】
前記連結部材は、蝶番、樹脂製板、樹脂シート、布地、タイヤチューブ、ゴムなどの揺動可能または折り曲げ可能な材質とした請求項４に記載の釣り用浮き。
【請求項６】
前記保持部材は、一方の浮力片部材の側面両側に配置し、他方の浮力片部材を弾性的に挟み込むように張り出した構造とした請求項１ないし請求項５のいずれか一つに記載の釣り用浮き。
【請求項７】
前記保持部材は、弾力性を有するステンレス硬線、ステンレス板、または樹脂などで構成した請求項６に記載の釣り用浮き。
【請求項８】
前記保持部材は、一方の浮力片部材の内側対面部に、磁石を配置し、他方の浮力片部材の相対する位置に磁石又は磁性体を配置し磁着する構造とした請求項１ないし請求項５のいずれか一つに記載の釣り用浮き。
【請求項９】
浮力体の外側の色と浮力体の内側の色を異なる色に配色するか、または一方の浮力片部材の外側の色と、他方の浮力片部材の外側の色と、浮力体の内側の色を異なる色に配色したことを特徴とした請求項１ないし請求項８のいずれか一つに記載の釣り用浮き。
【請求項１０】
筒状の浮力体の開口部付近の外径または中央部付近の外径より、閉鎖部付近の外径を小さくした請求項１ないし請求項９のいずれか一つに記載の釣り用浮き。
【手続補正２】
【補正対象書類名】明細書
【補正対象項目名】０００６
【補正方法】変更
【補正の内容】
【０００６】
第三の考案は、第二の考案において、一方の浮力片部材の開口部付近および、両方の浮力片部材の閉鎖部付近に重りを配置したものである場合、前記一方の浮力片部材の開口部付近に配置された重りは、その浮力片部材の基端側が水面上にあり、先端側の開口部は水中に沈んで略垂直状態に安定して浮くことができる程度の重さであり、浮力片部材の閉鎖部付近に配置する重りは、開口部付近に重りがない他方の浮力片部材が水面に浮くことができる程度の重さとする。
【手続補正３】
【補正対象書類名】明細書
【補正対象項目名】０００７
【補正方法】変更
【補正の内容】
【０００７】
第四の考案は、第一ないし第三のいずれか一つの考案において、前記連結部材を、開閉可能な構造とする。
【手続補正４】
【補正対象書類名】明細書
【補正対象項目名】０００８
【補正方法】変更
【補正の内容】
【０００８】
第五の考案は、第四の考案において、前記連結部材は、蝶番、樹脂製板、樹脂シート、布地、タイヤチューブ、ゴムなどの揺動可能または折り曲げ可能な材質とする。
【手続補正５】
【補正対象書類名】明細書
【補正対象項目名】０００９
【補正方法】変更
【補正の内容】
【０００９】
第六の考案は、第一ないし第五のいずれか一つの考案において、前記保持部材は、一方の浮力片部材の側面両側に配置し、他方の浮力片部材を弾性的に挟み込むように張り出した構造とする。
【手続補正６】
【補正対象書類名】明細書
【補正対象項目名】００１０
【補正方法】変更
【補正の内容】
【００１０】
第七の考案は、第六の考案において、前記保持部材は、弾力性を有するステンレス硬線、ステンレス板、または樹脂などで構成する。
【手続補正７】
【補正対象書類名】明細書
【補正対象項目名】００１１
【補正方法】変更
【補正の内容】
【００１１】
第八の考案は、第一ないし第五のいずれか一つの考案において、前記保持部材は、一方の浮力片部材の内側対面部に、磁石を配置し、他方の浮力片部材の相対する位置に磁石又は磁性体を配置し磁着する構造とする。
【手続補正８】
【補正対象書類名】明細書
【補正対象項目名】００１２
【補正方法】変更
【補正の内容】
【００１２】
第九の考案は、第一ないし第八のいずれか一つの考案において、浮力体の外側の色と浮力体の内側の色を異なる色に配色するか、または一方の浮力片部材の外側の色と、他方の浮力片部材の外側の色と、浮力体の内側の色を異なる色に配色する。
【手続補正９】
【補正対象書類名】明細書
【補正対象項目名】００１３
【補正方法】変更
【補正の内容】
【００１３】
第十の考案は、第一ないし第九のいずれか一つの考案において、筒状の浮力体の開口部付近の外径または中央部付近の外径より、閉鎖部付近の外径を小さくした構造とすることにより課題を解決することができる。